【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
軸方向束モータまたは発電機の固定子としての使用のために構成された平面複合構造（ＰＣＳ）であって、前記ＰＣＳは、
少なくとも１つの誘電層と、
前記少なくとも１つの誘電層上に角度を付けて配列された第１の細長い伝導要素であって、前記第１の細長い伝導要素のそれぞれは、前記少なくとも１つの誘電層と関連付けられた原点からの第１の半径方向距離と、前記原点からの第２の半径方向距離との間で半径方向に延び、前記第２の半径方向距離は、前記第１の半径方向距離より長い、第１の細長い伝導要素と、
前記少なくとも１つの誘電層上に配置された伝導内側端巻きであって、前記伝導内側端巻きのそれぞれは、前記第１の半径方向距離で前記第１の細長い伝導要素のうちの少なくとも２つの一部間で接続されている、伝導内側端巻きと、
前記少なくとも１つの誘電層上に配置された伝導外側端巻きであって、前記伝導外側端巻きのそれぞれは、前記第２の半径方向距離で前記第１の細長い伝導要素のうちの少なくとも２つの一部間で接続されている、伝導外側端巻きと、
前記少なくとも１つの誘電層上に配置された少なくとも１つの第２の細長い伝導要素であって、前記少なくとも１つの第２の細長い伝導要素は、前記原点からの第３の半径方向距離と、前記原点からの第４の半径方向距離との間で半径方向に延びる、少なくとも１つの第２の細長い伝導要素と
を備え、
前記第４の半径方向距離は、前記第３の半径方向距離より長く、
（ａ）前記第４の半径方向距離が、前記第１の半径方向距離より短いこと、または、（ｂ）前記第３の半径方向距離が、前記第２の半径方向距離より長いことのいずれかであり、
前記少なくとも１つの第２の細長い伝導要素は、前記少なくとも１つの第２の細長い伝導要素もまた前記第１の細長い伝導要素のうちの最初の１つに電気的に接続されていることなしに、前記第１の細長い伝導要素のうちの前記最初の１つに熱的に接続されている、ＰＣＳ。
【請求項２】
前記少なくとも１つの誘電層上に配置された少なくとも１つの第３の細長い伝導要素をさらに備え、
前記少なくとも１つの第３の細長い伝導要素は、
前記少なくとも１つの第２の細長い伝導要素のように、前記少なくとも１つの誘電層の反対側上にあり、
前記少なくとも１つの誘電層によって前記少なくとも１つの第３の細長い伝導要素と前記少なくとも１つの第２の細長い伝導要素との間の熱接続を確立するために、前記少なくとも１つの第２の細長い伝導要素の長さの少なくとも一部に沿って延び、
前記第１の細長い伝導要素のうちの前記最初の１つに熱的に接続されている、請求項１に記載のＰＣＳ。
【請求項３】
前記第３の半径方向距離は、前記第２の半径方向距離より長い、請求項１または請求項２に記載のＰＣＳ。
【請求項４】
前記第４の半径方向距離は、前記第１の半径方向距離より短い、請求項１〜３のいずれかに記載のＰＣＳ。
【請求項５】
軸方向束モータまたは発電機の固定子としての使用のために構成された平面複合構造（ＰＣＳ）であって、前記ＰＣＳは、
少なくとも１つの誘電層と、
前記少なくとも１つの誘電層上に角度を付けて配列された第１の細長い伝導要素であって、前記第１の細長い伝導要素のそれぞれは、前記少なくとも１つの誘電層と関連付けられた原点からの第１の半径方向距離と、前記原点からの第２の半径方向距離との間で半径方向に延び、前記第２の半径方向距離は、前記第１の半径方向距離より長く、前記第１の細長い伝導要素のうちの最初の１つは、前記少なくとも１つの誘電層の第１の表面上に配置され、前記第１の細長い伝導要素のうちの第２の１つは、前記第１の表面と反対の前記少なくとも１つの誘電層の第２の表面上に配置されている、第１の細長い伝導要素と、
前記少なくとも１つの誘電層上に配置された伝導内側端巻きであって、前記伝導内側端巻きのそれぞれは、前記第１の半径方向距離で前記第１の細長い伝導要素のうちの少なくとも２つの一部間で接続されている、伝導内側端巻きと、
前記少なくとも１つの誘電層上に配置された伝導外側端巻きであって、前記伝導外側端巻きのそれぞれは、前記第２の半径方向距離で前記第１の細長い伝導要素のうちの少なくとも２つの一部間で接続されている、伝導外側端巻きと、
前記第１の表面上に配置された第２の伝導要素であって、前記第２の伝導要素の最初の一部は、前記第２の半径方向距離で前記第１の細長い伝導要素のうちの最初の１つの最初の一部に接続されている、第２の伝導要素と、
前記少なくとも１つの誘電層を通して延びる第１のビアと
を備え、
前記第１のビアは、
前記第１の細長い伝導要素のうちの前記最初の１つの前記最初の一部から角度を付けてオフセットされ、
少なくとも前記第２の伝導要素を通して、前記第１の細長い伝導要素のうちの前記最初の１つおよび前記第１の細長い伝導要素のうちの前記第２の１つを電気的に相互接続する、ＰＣＳ。
【請求項６】
前記少なくとも１つの誘電層上に配置され、かつ前記原点からの第３の半径方向距離と、前記原点からの第４の半径方向距離との間で半径方向に延びる、第１の外側細長い伝導要素をさらに備え、
前記第４の半径方向距離は、前記第３の半径方向距離より長く、
前記第３の半径方向距離は、前記第２の半径方向距離より長く、
前記第１の外側細長い伝導要素は、前記第１の細長い伝導要素のうちの前記最初の１つに熱的に接続されている、請求項５に記載のＰＣＳ。
【請求項７】
前記少なくとも１つの誘電層上に配置され、かつ前記第３の半径方向距離と、前記第４の半径方向距離との間で半径方向に延びる、第２の外側細長い伝導要素をさらに備え、
前記第１の外側細長い伝導要素は、前記第１の細長い伝導要素のうちの前記最初の１つに電気的に接続されず、
前記第２の外側細長い伝導要素は、前記第１の外側細長い伝導要素のように、前記少なくとも１つの誘電層の反対側上にあり、
前記第２の外側細長い伝導要素は、前記少なくとも１つの誘電層によって前記第２の外側細長い伝導要素と前記第１の外側細長い伝導要素との間の熱接続を確立するために、前記第１の外側細長い伝導要素の長さの少なくとも一部に沿って延び、
前記第２の外側細長い伝導要素は、前記第１のビアを通して前記第１の細長い伝導要素のうちの前記最初の１つに熱的に接続されている、請求項５に記載のＰＣＳ。
【請求項８】
前記第１のビアは、前記第１の細長い伝導要素のうちの前記最初の１つの前記最初の一部から第１の方向に角度を付けてオフセットされ、前記ＰＣＳは、前記少なくとも１つの誘電層を通して延びる第２のビアをさらに備え、
前記第２のビアは、
前記第１の細長い伝導要素のうちの前記最初の１つの前記最初の一部から第２の方向に角度を付けてオフセットされ、
少なくとも前記第２の伝導要素を通して、前記第１の細長い伝導要素のうちの前記最初の１つおよび前記第１の細長い伝導要素のうちの前記第２の１つを電気的に相互接続し、
前記第２の方向は、前記第１の方向の反対である、請求項５に記載のＰＣＳ。
【請求項９】
前記少なくとも１つの誘電層上に配置された第１および第２の外側細長い伝導要素をさらに備え、それぞれは、前記原点からの第３の半径方向距離と、前記原点からの第４の半径方向距離との間で半径方向に延び、
前記第４の半径方向距離は、前記第３の半径方向距離より長く、前記第３の半径方向距離は、前記第２の半径方向距離より長く、
前記第１および第２の外側細長い伝導要素のそれぞれは、前記第１の細長い伝導要素のうちの前記最初の１つに熱的に接続されている、請求項８に記載のＰＣＳ。
【請求項１０】
前記少なくとも１つの誘電層上に配置された第３および第４の外側細長い伝導要素をさらに備え、それぞれは、前記第３の半径方向距離と、前記第４の半径方向距離との間で半径方向に延び、
前記第１および第２の外側細長い伝導要素のいずれも、前記第１の細長い伝導要素のうちの前記最初の１つに電気的に接続されず、
前記第３および第４の外側細長い伝導要素は、前記第１および第２の外側細長い伝導要素のように、前記少なくとも１つの誘電層の反対側上にあり、
前記第３の外側細長い伝導要素は、前記少なくとも１つの誘電層によって前記第３の外側細長い伝導要素と前記第１の外側細長い伝導要素との間の熱接続を確立するために、前記第１の外側細長い伝導要素の長さの少なくとも一部に沿って延び、
前記第４の外側細長い伝導要素は、前記少なくとも１つの誘電層によって前記第４の外側細長い伝導要素と前記第２の外側細長い伝導要素との間の熱接続を確立するために、前記第２の外側細長い伝導要素の長さの少なくとも一部に沿って延び、
前記第３の外側細長い伝導要素は、前記第１のビアを通して前記第１の細長い伝導要素のうちの前記最初の１つに熱的に接続され、
前記第４の外側細長い伝導要素は、前記第２のビアを通して前記第１の細長い伝導要素のうちの前記最初の１つに熱的に接続されている、請求項９に記載のＰＣＳ。
【請求項１１】
前記第１および第２の外側細長い伝導要素は、前記少なくとも１つの誘電層の同一表面上に配置されている、請求項９または請求項１０に記載のＰＣＳ。
【請求項１２】
軸方向束モータまたは発電機の固定子としての使用のために構成された平面複合構造（ＰＣＳ）であって、前記ＰＣＳは、
少なくとも１つの誘電層と、
前記少なくとも１つの誘電層上に角度を付けて配列された第１の細長い伝導要素であって、前記第１の細長い伝導要素のそれぞれは、前記少なくとも１つの誘電層と関連付けられた原点からの第１の半径方向距離と、前記原点からの第２の半径方向距離との間で半径方向に延び、前記第２の半径方向距離は、前記第１の半径方向距離より長い、第１の細長い伝導要素と、
前記少なくとも１つの誘電層上に配置された伝導内側端巻きであって、前記伝導内側端巻きのそれぞれは、前記第１の半径方向距離で前記第１の細長い伝導要素のうちの少なくとも２つの一部間で接続されている、伝導内側端巻きと、
前記少なくとも１つの誘電層上に配置された伝導外側端巻きであって、前記伝導外側端巻きのそれぞれは、前記第２の半径方向距離で前記第１の細長い伝導要素のうちの少なくとも２つの一部間で接続されている、伝導外側端巻きと、
前記少なくとも１つの誘電層上に配置された第１および第２の外側細長い伝導要素であって、それぞれは、前記原点からの第３の半径方向距離と、前記原点からの第４の半径方向距離との間で半径方向に延びる、第１および第２の外側細長い伝導要素と
を備え、
前記第４の半径方向距離は、前記第３の半径方向距離より長く、
前記第３の半径方向距離は、前記第２の半径方向距離より長く、
前記第１および第２の外側細長い伝導要素のそれぞれは、前記第１の細長い伝導要素のうちの最初の１つに熱的に接続されている、ＰＣＳ。
【請求項１３】
前記第１および第２の外側細長い伝導要素は、前記少なくとも１つの誘電層の同一表面上に配置されている、請求項１２に記載のＰＣＳ。
【請求項１４】
前記少なくとも１つの誘電層上に配置された第３および第４の外側細長い伝導要素をさらに備え、それぞれは、前記第３の半径方向距離と、前記第４の半径方向距離との間で半径方向に延び、
前記第１および第２の外側細長い伝導要素のいずれも、前記第１の細長い伝導要素のうちの前記最初の１つに電気的に接続されず、
前記第３および第４の外側細長い伝導要素は、前記第１および第２の外側細長い伝導要素のように、前記少なくとも１つの誘電層の反対側上にあり、
前記第３の外側細長い伝導要素は、前記少なくとも１つの誘電層によって前記第３の外側細長い伝導要素と前記第１の外側細長い伝導要素との間の熱接続を確立するために、前記第１の外側細長い伝導要素の長さの少なくとも一部に沿って延び、
前記第４の外側細長い伝導要素は、前記少なくとも１つの誘電層によって前記第４の外側細長い伝導要素と前記第２の外側細長い伝導要素との間の熱接続を確立するために、前記第２の外側細長い伝導要素の長さの少なくとも一部に沿って延び、
前記第３の外側細長い伝導要素は、第１のビアを通して前記第１の外側細長い伝導要素のうちの前記最初の１つに熱的に接続され、
前記第４の外側細長い伝導要素は、第２のビアを通して前記第１の外側細長い伝導要素のうちの前記最初の１つに熱的に接続されている、請求項１２または１３に記載のＰＣＳ。
【請求項１５】
前記第１および第２の外側細長い伝導要素のうちの少なくとも１つは、前記第１の細長い伝導要素のうちの前記最初の１つから角度を付けてオフセットされている、請求項１２〜１４のいずれかに記載のＰＣＳ。
【手続補正２】
【補正対象書類名】明細書
【補正対象項目名】０００６
【補正方法】変更
【補正の内容】
【０００６】
第２の実施形態では、固定子は、少なくとも１つの誘電層と、少なくとも１つの伝導層とを備えているＰＣＳを含み、ＰＣＳは、少なくとも部分的に、中心原点と、周縁とによって特徴付けられる。固定子は、中心原点からの開始半径ｒ０からＰＣＳの周縁に向かって半径方向に延び、ＰＣＳ上に角度を付けて配置される複数の第１の伝導要素であって、各第１の伝導要素は、好ましい開始構造において始まる第１の伝導要素も含み得る。さらに、固定子は、中心原点からの半径ｒ−１からＰＣＳの中心原点に向かって半径方向に延び、ＰＣＳ上に角度を付けて配置されている複数の第２の伝導要素を含み得る。いくつかの実施形態では、第１の伝導要素のうちの少なくとも１つは、接続構成に従って、好ましい開始構造において第２の伝導要素のうちの少なくとも１つに接続される。
本願明細書は、例えば、以下の項目も提供する。
（項目１）
固定子であって、前記固定子は、
少なくとも１つの誘電層および複数の伝導層を備えている平面複合構造（ＰＣＳ）であって、前記ＰＣＳは、中心原点および周縁によって少なくとも部分的に特徴付けられている、ＰＣＳと、
前記ＰＣＳの前記中心原点から前記周縁に向かって距離ｒ１まで半径方向に延びている複数の第１の伝導要素であって、前記複数の第１の伝導要素は、前記ＰＣＳ上に角度を付けて配置され、各第１の伝導要素は、好ましい終端構造内で終端されている、複数の第１の伝導要素と、
前記ＰＣＳの前記周縁に向かって前記中心原点からの半径ｒ２から半径方向に延びている複数の第２の伝導要素であって、前記複数の第２の伝導要素は、前記ＰＣＳ上に角度を付けて配置されている、複数の第２の伝導要素と
を備え、
前記第１の伝導要素のうちの少なくとも１つは、接続構成に従って、前記好ましい終端構造において前記第２の伝導要素のうちの少なくとも１つに接続されている、固定子。
（項目２）
ｒ１＜ｒ２である、項目１に記載の固定子。
（項目３）
ｒ１＝ｒ２である、項目１に記載の固定子。
（項目４）
前記第１の伝導要素のうちの少なくとも１つは、銅、炭素、または任意の他の導電性材料を含む、項目１に記載の固定子。
（項目５）
前記第２の伝導要素のうちの少なくとも１つは、銅、炭素、または任意の他の熱伝導性材料を含む、項目１に記載の固定子。
（項目６）
前記好ましい終端構造は、ハンマーヘッド構成を含む、項目１に記載の固定子。
（項目７）
前記接続構成は、熱接続を備えている、項目１に記載の固定子。
（項目８）
前記接続構成は、電気接続を備えている、項目１に記載の固定子。
（項目９）
前記第１の伝導要素のうちの少なくとも１つおよび前記第２の伝導要素のうちの少なくとも１つは、異なる伝導層上に位置している、項目１に記載の固定子。
（項目１０）
前記接続構成は、熱接続を備えている、項目９に記載の固定子。
（項目１１）
前記熱接続は、前記ＰＣＳの周縁に向かって前記中心原点からの半径ｒ３から半径方向に延び、前記ＰＣＳ上に角度を付けて配置されている複数の第３の伝導要素を備え、前記第３の伝導要素のうちの少なくとも１つと前記第２の伝導要素のうちの少なくとも１つとは、一致し、それらは、異なる伝導層上に位置している、項目１０に記載の固定子。
（項目１２）
ｒ２＜ｒ３である、項目１１に記載の固定子。
（項目１３）
前記接続構成は、電気接続を備えている、項目９に記載の固定子。
（項目１４）
前記電気接続は、前記伝導層のうちの１つ上で始まり、前記伝導層のうちの別のもの上で終わる少なくとも１つのビアを備えている、項目１３に記載の固定子。
（項目１５）
固定子であって、前記固定子は、
少なくとも１つの誘電層および少なくとも１つの伝導層を備えている平面複合構造（ＰＣＳ）であって、前記ＰＣＳは、中心原点および周縁によって少なくとも部分的に特徴付けられている、ＰＣＳと、
前記ＰＣＳの前記周縁に向かって前記中心原点からの開始半径ｒ０から半径方向に延びている複数の第１の伝導要素であって、前記複数の第１の伝導要素は、前記ＰＣＳ上に角度を付けて配置され、各第１の伝導要素は、好ましい開始構造において始まる、複数の第１の伝導要素と、
前記中心原点からの半径ｒ−１から前記ＰＣＳの中心原点に向かって半径方向に延びている複数の第２の伝導要素であって、前記複数の第２の伝導要素は、前記ＰＣＳ上に角度を付けて配置されている、複数の第２の伝導要素と
を備え、
前記第１の伝導要素のうちの少なくとも１つは、接続構成に従って、前記好ましい開始構造において前記第２の伝導要素のうちの少なくとも１つに接続されている、固定子。
（項目１６）
ｒ−１＜ｒ０である、項目１５に記載の固定子。
（項目１７）
ｒ−１＝ｒ０である、項目１５に記載の固定子。
（項目１８）
前記第１の伝導要素のうちの少なくとも１つは、銅、炭素、または任意の他の導電性材料を含む、項目１５に記載の固定子。
（項目１９）
前記第２の伝導要素のうちの少なくとも１つは、銅、炭素、または任意の他の熱伝導性材料を含む、項目１５に記載の固定子。
（項目２０）
前記好ましい開始構造は、半径方向ビアブロック構成を含む、項目１５に記載の固定子。
（項目２１）
前記接続構成は、熱接続を備えている、項目１５に記載の固定子。
（項目２２）
前記接続構成は、電気接続を備えている、項目１５に記載の固定子。
（項目２３）
前記第１の伝導要素のうちの少なくとも１つと前記第２の伝導要素のうちの少なくとも１つとは、異なる伝導層上に位置している、項目１５に記載の固定子。
（項目２４）
前記接続構成は、熱接続を備えている、項目２３に記載の固定子。
（項目２５）
前記熱接続は、前記中心原点からの半径ｒ−２から前記ＰＣＳの中心原点に向かって半径方向に延びている複数の第３の伝導要素であって、前記複数の第３の伝導要素は、前記ＰＣＳ上に角度を付けて配置されている、複数の第３の伝導要素を備え、前記第３の伝導要素のうちの少なくとも１つと前記第２の伝導要素のうちの少なくとも１つとは、一致し、それらは、異なる伝導層上に位置している、項目２４に記載の固定子。
（項目２６）
ｒ−２＜ｒ−１である、項目２５に記載の固定子。
（項目２７）
前記接続構成は、電気接続を備えている、項目２３に記載の固定子。
（項目２８）
前記電気接続は、前記伝導層のうちの１つ上で始まり、前記伝導層のうちの別のもの上で終わる少なくとも１つのビアを備えている、項目２３に記載の固定子。